(57)【特許請求の範囲】
【請求項１】
ＭＤＴをサポートするユーザ端末に適用される測定制御方法であって、
前記ユーザ端末に関する特定の無線環境が第１の閾値を満たした場合に、前記ＭＤＴのための測定ログの取得を開始するステップＡと、
前記特定の無線環境が前記第１の閾値を満たした後において、前記特定の無線環境が第２の閾値を満たした場合に、前記ステップＡで取得が開始された前記測定ログを保持するステップＢと、
を有することを特徴とする測定制御方法。
【請求項２】
前記特定の無線環境とは、前記ユーザ端末の送信力余裕であることを特徴とする請求項１に記載の測定制御方法。
【請求項３】
前記第１の閾値及び前記第２の閾値は、前記ユーザ端末の最大送信電力に応じて決定されることを特徴とする請求項２に記載の測定制御方法。
【請求項４】
前記特定の無線環境とは、サービングセルからの受信信号状態であることを特徴とする請求項１に記載の測定制御方法。
【請求項５】
前記受信信号状態とは、前記サービングセルからの受信信号における誤り率であることを特徴とする請求項４に記載の測定制御方法。
【請求項６】
前記第１の閾値及び前記第２の閾値は、最低ＭＣＳにおいて許容される最大誤り率に応じて決定されることを特徴とする請求項５に記載の測定制御方法。
【請求項７】
前記特定の無線環境が前記第１の閾値を満たした後において、前記特定の無線環境が前記第２の閾値を満たす前に前記第１の閾値を満たさなくなった場合に、前記ステップＡで取得が開始された前記測定ログを保持せずに破棄するステップＣをさらに有することを特徴とする請求項１に記載の測定制御方法。
【請求項８】
前記ステップＡは、前記ユーザ端末で測定される受信信号電力の移動平均が第３の閾値を満たす場合であって、かつ、前記特定の無線環境が前記第１の閾値を満たした場合に、前記測定ログの取得を開始することを特徴とする請求項１に記載の測定制御方法。
【請求項９】
前記第１の閾値及び前記第２の閾値は、ネットワーク装置によって決定されることを特徴とする請求項１に記載の測定制御方法。
【請求項１０】
前記特定の無線環境が前記第２の閾値を満たしてから所定時間が経過するまで、前記測定ログの取得及び保持を継続するステップＤをさらに有することを特徴とする請求項１に記載の測定制御方法。
【請求項１１】
前記所定時間は、前記特定の無線環境が前記第１の閾値を満たしてから前記第２の閾値を満たすまでの時間のｎ倍に設定されることを特徴とする請求項１０に記載の測定制御方法。
【請求項１２】
ＭＤＴをサポートするユーザ端末であって、
前記ユーザ端末に関する特定の無線環境が第１の閾値を満たした場合に、前記ＭＤＴのための測定ログの取得を開始する手段と、
前記特定の無線環境が前記第１の閾値を満たした後において、前記特定の無線環境が第２の閾値を満たした場合に、前記ステップＡで取得が開始された前記測定ログを保持する手段と、
を有することを特徴とするユーザ端末。
【発明の詳細な説明】
【技術分野】
【０００１】
本発明は、移動通信システムにおける測定制御方法及びユーザ端末に関する。
【背景技術】
【０００２】
移動通信システムでは、基地局の周辺にビルが建設されたり、当該基地局の周辺基地局の設置状況が変化したりすると、当該基地局に係る無線環境が変化する。このため、従来では、オペレータにより、測定機材を搭載した測定用車両を使用し、無線環境を測定して測定ログを収集するドライブテストが行われている。
【０００３】
このような測定及び収集は、例えば基地局のカバレッジの最適化に貢献できるが、工数が多く、且つ費用が高いという課題がある。そこで、移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ユーザ端末を使用して、当該測定及び収集を自動化するためのＭＤＴ（Ｍｉｎｉｍｉｚａｔｉｏｎ  ｏｆ  Ｄｒｉｖｅ  Ｔｅｓｔｓ）の仕様が策定されている。
【０００４】
ＭＤＴの一方式として、保持型のＭＤＴ（「Ｌｏｇｇｅｄ  ＭＤＴ」と称される）がある。現行の仕様において、Ｌｏｇｇｅｄ  ＭＤＴは、ユーザ端末が、ネットワークから設定された測定構成に従って無線状態の測定を行い、測定結果を位置情報及び時間情報と共に測定ログとして保持（「ロギング」と称される）し、保持した測定ログを後でネットワークに報告するものである。
【０００５】
現行のＬｏｇｇｅｄ  ＭＤＴは、ロギングのトリガとして周期的（Ｐｅｒｉｏｄｉｃ）をサポートする（非特許文献１参照）。これに対し、非特許文献２には、イベントトリガ型のロギングトリガが提案されている。詳細には、ユーザ端末は、無線環境が閾値を満たしたことをトリガとして、無線環境が閾値を満たしたタイミングの前後一定期間（「ロギングウィンドウ」と称される）内の測定ログを保持する。
【先行技術文献】
【非特許文献】
【０００６】
【非特許文献１】３ＧＰＰ技術仕様書  「ＴＳ  ３７．３２０  Ｖ１０．４．０」  （２０１１-１２）
【非特許文献２】３ＧＰＰ技術報告書  「ＴＲ  ３６．８０５  Ｖ９．０．０」  （２００９−１２）
【発明の概要】
【発明が解決しようとする課題】
【０００７】
しかしながら、非特許文献２に記載の手法は、ロギングウィンドウの時間長が一定であるため、当該時間長が短く設定されていれば必要な部分の測定ログを保持できず、当該時間長が長く設定されていれば不要な測定ログを保持してしまう問題がある。
【０００８】
そこで、本発明は、ＭＤＴにおいて適切に測定ログを保持できる測定制御方法及びユーザ端末を提供することを目的とする。
【課題を解決するための手段】
【０００９】
上述した課題を解決するために、本発明は以下のような特徴を有している。
【００１０】
本発明の測定制御方法は、ＭＤＴをサポートするユーザ端末に適用される測定制御方法であって、前記ユーザ端末に関する特定の無線環境が第１の閾値を満たした場合に、前記ＭＤＴのための測定ログの取得を開始するステップＡと、前記特定の無線環境が前記第１の閾値を満たした後において、前記特定の無線環境が第２の閾値を満たした場合に、前記ステップＡで取得が開始された前記測定ログを保持するステップＢと、を有することを特徴とする。
【００１１】
前記特定の無線環境とは、前記ユーザ端末の送信力余裕であってもよい。
【００１２】
前記第１の閾値及び前記第２の閾値は、前記ユーザ端末の最大送信電力に応じて決定されてもよい。
【００１３】
前記特定の無線環境とは、サービングセルからの受信信号状態であってもよい。
【００１４】
前記受信信号状態とは、前記サービングセルからの受信信号における誤り率であってもよい。
【００１５】
前記第１の閾値及び前記第２の閾値は、最低ＭＣＳにおいて許容される最大誤り率に応じて決定されてもよい。
【００１６】
前記測定制御方法は、前記特定の無線環境が前記第１の閾値を満たした後において、前記特定の無線環境が前記第２の閾値を満たす前に前記第１の閾値を満たさなくなった場合に、前記ステップＡで取得が開始された前記測定ログを保持せずに破棄するステップＣをさらに有してもよい。
【００１７】
前記ステップＡは、前記ユーザ端末で測定される受信信号電力の移動平均が第３の閾値を満たす場合であって、かつ、前記特定の無線環境が前記第１の閾値を満たした場合に、前記測定ログの取得を開始してもよい。
【００１８】
前記第１の閾値及び前記第２の閾値は、ネットワーク装置によって決定されてもよい。
【００１９】
前記測定制御方法は、前記特定の無線環境が前記第２の閾値を満たしてから所定時間が経過するまで、前記測定ログの取得及び保持を継続するステップＤをさらに有してもよい。
【００２０】
前記所定時間は、前記特定の無線環境が前記第１の閾値を満たしてから前記第２の閾値を満たすまでの時間のｎ倍に設定されてもよい。
【００２１】
本発明のユーザ端末は、ＭＤＴをサポートするユーザ端末であって、前記ユーザ端末に関する特定の無線環境が第１の閾値を満たした場合に、前記ＭＤＴのための測定ログの取得を開始する手段と、前記特定の無線環境が前記第１の閾値を満たした後において、前記特定の無線環境が第２の閾値を満たした場合に、前記ステップＡで取得が開始された前記測定ログを保持する手段と、を有することを特徴とする。
【発明の効果】
【００２２】
本発明によれば、ＭＤＴにおいて測定ログを適切に保持できる測定制御方法及びユーザ端末を提供できる。
【図面の簡単な説明】
【００２３】
【図１】第１実施形態及び第２実施形態に係る移動通信システムの構成図である。
【図２】第１実施形態及び第２実施形態に係るＵＥのブロック図である。
【図３】第１実施形態に係るＵＥの制御部の動作を説明するための図である。
【図４】第１実施形態に係るＵＥの動作フロー図である。
【図５】第１実施形態の比較例を説明するための図である。
【図６】第２実施形態に係るＵＥの制御部の動作を説明するための図である（その１）。
【図７】第２実施形態に係るＵＥの制御部の動作を説明するための図である（その２）。
【図８】第２実施形態に係るＵＥの動作フロー図である。
【発明を実施するための形態】
【００２４】
［実施形態の概要］
実施形態に係る測定制御方法は、ＭＤＴをサポートするユーザ端末に適用される測定制御方法であって、前記ユーザ端末に関する特定の無線環境が第１の閾値を満たした場合に、前記ＭＤＴのための測定ログの取得を開始するステップＡと、前記特定の無線環境が前記第１の閾値を満たした後において、前記特定の無線環境が第２の閾値を満たした場合に、前記ステップＡで取得が開始された前記測定ログを保持するステップＢと、を有する。
【００２５】
これにより、当該無線環境が第１の閾値を満たしてから第２の閾値を満たすまでの測定ログを確実に保持できる。したがって、前記特定の無線環境が、緩やかに劣化するケースであっても、急激に劣化するケースであっても、劣化の過程における測定ログ、すなわち、必要な部分の測定ログ（重要な測定ログ）を保持できる。
【００２６】
また、実施形態に係る測定制御方法は、前記特定の無線環境が前記第２の閾値を満たしてから所定時間が経過するまで、前記測定ログの取得及び保持を継続する。前記所定時間は、前記特定の無線環境が前記第１の閾値を満たしてから前記第２の閾値を満たすまでの時間のｎ倍に設定される（ｎ＞１）。
【００２７】
これにより、前記特定の無線環境が劣化する速度に応じた期間において、測定ログを取得及び保持できる。したがって、前記特定の無線環境が、緩やかに劣化するケースであっても、急激に劣化するケースであっても、劣化の過程における測定ログ、すなわち、必要な部分の測定ログ（重要な測定ログ）を保持できる。
【００２８】
このように、実施形態に係る測定制御方法は、ロギングウィンドウの時間長を可変にし、前記特定の無線環境が劣化する状況に応じて、ロギングウィンドウの時間長を最適化できる。
【００２９】
さらに、実施形態に係る測定制御方法は、前記ユーザ端末で測定される受信信号電力の移動平均が第３の閾値を満たす場合に、前記測定ログの取得を開始する。
【００３０】
これにより、前記特定の無線環境の劣化が、ユーザ端末の移動などに伴うフェージングに起因するものである場合、すなわち、瞬間的な劣化である場合には、測定ログの取得を開始しないため、フェージングの影響を排除して測定ログを保持することができる。
【００３１】
［実施形態］
以下の実施形態においては、ＬＴＥ（Ｌｏｎｇ  Ｔｅｒｍ  Ｅｖｏｌｕｔｉｏｎ）に基づいて構成される移動通信システムを例に説明する。
【００３２】
（１）第１実施形態
（１．１）移動通信システムの概要
図１は、本実施形態に係る移動通信システムの構成図である。
【００３３】
図１に示すように、移動通信システムは、ユーザ端末（ＵＥ：Ｕｓｅｒ  Ｅｑｕｉｐｍｅｎｔ）１００と、基地局（ｅＮＢ：ｅｖｏｌｖｅｄ  Ｎｏｄｅ−Ｂ）２００と、モビリティ管理装置（ＭＭＥ：Ｍｏｂｉｌｉｔｙ  Ｍａｎａｇｅｍｅｎｔ  Ｅｎｔｉｔｙ）／ゲートウェイ装置（Ｓ−ＧＷ：Ｓｅｒｖｉｎｇ  Ｇａｔｅｗａｙ）３００と、運用保守装置（ＯＡＭ：Ｏｐｅｒａｔｉｏｎ  ａｎｄ  Ｍａｉｎｔｅｎａｎｃｅ）４００と、を有する。
【００３４】
ｅＮＢ２００は、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０に含まれるネットワーク装置である。ＭＭＥ／Ｓ−ＧＷ３００及びＯＡＭ４００は、コアネットワーク（ＥＰＣ：Ｅｖｏｌｖｅｄ  Ｐａｃｋｅｔ  Ｃｏｒｅ）２０に含まれるネットワーク装置である。
【００３５】
ＵＥ１００は、ユーザが所持する移動可能な無線通信装置である。ＵＥ１００は、通信中の状態に相当するコネクティッド状態において、接続を確立したセル（「サービングセル」と称される）との無線通信を行う。「セル」は、無線通信エリアの最小単位を示す用語として使用される他に、ＵＥ１００との無線通信を行う機能としても使用される。よって、ｅＮＢ２００は、セルと称されることもある。
【００３６】
ｅＮＢ２００は、通信事業者（オペレータ）によって設置される固定型の無線通信装置であり、例えば、マクロ基地局（ＭｅＮＢ）又はピコ基地局（ＰｅＮＢ）などである。或いは、ｅＮＢ２００は、屋内に設置可能なホーム基地局（ＨｅＮＢ）であってもよい。ｅＮＢ２００は、セルを形成する。ｅＮＢ２００は、ＵＥ１００との無線通信を行う。また、ｅＮＢ２００は、参照信号をセル毎に送信する。
【００３７】
ｅＮＢ２００は、ＥＰＣ２０との間の論理的な通信路であるＳ１インターフェイス上でＥＰＣ２０（ＭＭＥ／Ｓ−ＧＷ３００）との通信を行う。ｅＮＢ２００は、隣接するｅＮＢ２００との間の論理的な通信路であるＸ２インターフェイス上で、当該隣接するｅＮＢ２００との通信を行う。
【００３８】
ＭＭＥは、制御情報を取り扱う制御プレーンに対応して設けられており、ＵＥ１００に対する各種モビリティ管理や認証処理などを行う。Ｓ−ＧＷは、ユーザデータを取り扱うユーザプレーンに対応して設けられており、ＵＥ１００が送受信するユーザデータの転送制御などを行う。
【００３９】
ＯＡＭ４００は、Ｅ−ＵＴＲＡＮ１０の運用及び保守を行う。
【００４０】
（１．２）ＭＤＴの概要
本実施形態に係るＵＥ１００及びｅＮＢ２００は、ＭＤＴをサポートする。以下、ＭＤＴの概要について説明する。
【００４１】
ｅＮＢ２００は、例えばＯＡＭ４００からの指示に応じて、ＭＤＴを行うためのＭＤＴ設定メッセージ（ＭＤＴ  Ｃｏｎｆｉｇｕｒａｔｉｏｎ）を自身の配下のＵＥ１００に送信する。
【００４２】
ＭＤＴ設定メッセージを受信したＵＥ１００は、所定のロギングトリガで、無線環境の測定結果を含む測定ログを取得及び保持する処理を行う。このような取得及び保持処理は、「ロギング」と称される。ロギングトリガは、ＭＤＴ設定メッセージで指定されてもよい。
【００４３】
無線環境とは、例えば参照信号の受信電力（ＲＳＲＰ）、参照信号の受信品質（ＲＳＲＱ）、又は送信電力余裕（ＰＨＲ：Ｐｏｗｅｒ  Ｈｅａｄｒｏｏｍ）などである。ＰＨＲとは、ＵＥ１００の最大送信電力と上りリンク共有チャネル（ＵＬ−ＳＣＨ）送信に用いる予測送信電力との差である。
【００４４】
測定ログは、無線環境の測定結果に加え、その時点で得られている位置情報と、測定時の時間情報（タイムスタンプ）と、を含む。
【００４５】
位置情報は、ＵＥ１００がＧＮＳＳ（Ｇｌｏｂａｌ  Ｎａｖｉｇａｔｉｏｎ  Ｓａｔｅｌｌｉｔｅ  Ｓｙｓｔｅｍ）などの測位システムを有している場合にはＧＮＳＳ位置情報（詳細位置情報）であり、ＵＥ１００が測位システムを有していない場合にはＲＦフィンガープリント情報である。
【００４６】
時間情報とは、ＭＤＴ設定メッセージに含まれる絶対時間情報と、ＵＥ１００で計測される相対時間情報と、の組である。
【００４７】
測定ログを保持しているＵＥ１００は、所定のトリガで、測定ログを保持していることを示す情報（Ａｖａｉｌａｂｉｌｉｔｙ  Ｉｎｄｉｃａｔｏｒ）をｅＮＢ２００に送信する。ｅＮＢ２００は、ＵＥ１００が保持する測定ログを取得する場合は、測定ログの送信要求（ＵＥ  Ｉｎｆｏｒｍａｔｉｏｎ  Ｒｅｑｕｅｓｔ）をＵＥ１００に送信する。
【００４８】
ＵＥ１００は、測定ログの送信要求に応じて、保持している測定ログの通知（ＵＥ  Ｉｎｆｏｒｍａｔｉｏｎ  Ｒｅｓｐｏｎｓｅ）をｅＮＢ２００に送信する。
【００４９】
ＵＥ１００からの測定ログを受信したｅＮＢ２００は、測定ログをＯＡＭ４００に転送する。或いは、ｅＮＢ２００は、自身の最適化のために測定ログを使用してもよい。
【００５０】
ＯＡＭ４００は、測定ログを解析する。ＯＡＭ４００は、例えば、測定ログに基づいてカバレッジ問題を発見すると、発見したカバレッジ問題を解消するためのネットワーク最適化を行う。
【００５１】
（１．３）ＵＥの構成
図２は、ＵＥ１００のブロック図である。
【００５２】
図２に示すように、ＵＥ１００は、無線送受信部１１０と、ＧＮＳＳ受信機１２０と、記憶部１３０と、制御部１４０と、を有する。ただし、ＵＥ１００は、ＧＮＳＳ受信機１２０を有していなくてもよい。
【００５３】
無線送受信部１１０は、無線信号を送受信する。ＧＮＳＳ受信機１２０は、受信するＧＮＳＳ信号に基づく位置情報を制御部１４０に出力する。記憶部１３０は、制御部１４０による制御に使用される各種情報を記憶する。制御部１４０は、ＵＥ１００の各種の機能を制御する。
【００５４】
制御部１４０は、ＭＤＴ設定メッセージをｅＮＢ２００から無線送受信部１１０が受信し、当該ＭＤＴ設定メッセージに含まれるパラメータを記憶部１３０に保持させた後、ＭＤＴに従った測定処理を開始する。
【００５５】
図３は、本実施形態に係る制御部１４０の動作を説明するための図である。本実施形態では、制御部１４０は、ＰＨＲが閾値未満になったことをトリガとしてロギングを行う方式（「Ｔｒａｎｓｍｉｔ  ｐｏｗｅｒ  ｈｅａｄｒｏｏｍ  ｂｅｃｏｍｅｓ  ｌｅｓｓ  ｔｈａｎ  ｔｈｒｅｓｈｏｌｄ」と称される）によりロギングを行う。すなわち、本実施形態においてＰＨＲは、「特定の無線環境」に相当する。
【００５６】
「Ｔｒａｎｓｍｉｔ  ｐｏｗｅｒ  ｈｅａｄｒｏｏｍ  ｂｅｃｏｍｅｓ  ｌｅｓｓ  ｔｈａｎ  ｔｈｒｅｓｈｏｌｄ」は、例えばＵＥ１００がセルエッジに位置するようなケースにおいて、ＵＥ１００の送信電力が最大送信電力付近になり、上りリンクの通信品質が劣化する状況の測定ログを保持するものである。ＰＨＲは、その値が小さいほど、劣悪な無線環境であることを意味する。
【００５７】
図３に示すように、制御部１４０は、ロギングトリガに関する２つの閾値（閾値α１、閾値β１）を用いてロギングを行う。
【００５８】
閾値α１は、測定ログの取得を開始するトリガを定めるための閾値である。これに対し、閾値β１は、取得済みの測定ログを保持するトリガを定めるための閾値である。本実施形態において、閾値α１は第１の閾値に相当し、閾値β１は第２の閾値に相当する。
【００５９】
閾値β１は閾値α１よりも小さい値である。閾値α１及び閾値β１は、例えばＵＥ１００の最大送信電力に応じて決定される。
【００６０】
閾値α１及び閾値β１は、記憶部１３０に予め保持されていてもよい。この場合、閾値α１は「最大送信電力−ａ」に設定され、閾値α２は「最大送信電力−ｂ」に設定される。
【００６１】
或いは、閾値α１及び閾値β１は、ＭＤＴ設定メッセージによって指定されてもよい。この場合、ネットワーク装置（ｅＮＢ２００又はＯＡＭ４００）が閾値α１及び閾値β１を決定して、閾値α１及び閾値β１をＭＤＴ設定メッセージに含める。
【００６２】
制御部１４０は、ＰＨＲを測定して閾値α１と比較する。制御部１４０は、ＰＨＲが閾値α１未満になった場合に、測定ログの取得を開始する。
【００６３】
制御部１４０は、ＰＨＲが閾値α１未満になった後において、ＰＨＲが閾値β１未満になった場合に、取得済みの測定ログを記憶部１３０に保持させる。
【００６４】
これに対し、制御部１４０は、ＰＨＲが閾値α１未満になった後において、ＰＨＲが閾値β１未満になる前に閾値α１以上になった場合に、取得済みの測定ログを保持せずに破棄する。
【００６５】
制御部１４０は、ＰＨＲが閾値β１未満になってから所定時間が経過するまで、測定ログの取得及び保持（すなわち、ロギング）を継続する。所定時間は、ＰＨＲが閾値α１を満たしてから閾値β１を満たすまでの時間のｎ倍に設定される（ｎ＞１）。
【００６６】
その結果、制御部１４０は、トータルで{（α１時刻からβ１時刻） + (β１時刻-α１時刻)×n}の期間の測定ログを記憶部１３０に保持させることになる。ここで、α１時刻とは、ＰＨＲが閾値α１未満になったと判定した時刻であり、β１時刻とは、ＰＨＲが閾値β１未満になったと判定した時刻である。
【００６７】
ただし、制御部１４０は、ＰＨＲが閾値β１を満たしてから一定期間（固定の時間長）が経過するまで、測定ログの取得及び保持を継続してもよい。
【００６８】
その後、制御部１４０は、記憶部１３０が保持する測定ログをｅＮＢ２００に送信するよう無線送受信部１１０を制御する。
【００６９】
（１．４）第１実施形態に係るＵＥの動作
図４は、本実施形態に係るＵＥ１００の動作フロー図である。
【００７０】
図４に示すように、ステップＳ１０１において、ＵＥ１００は、ＰＨＲを測定して閾値α１と比較する。
【００７１】
ＰＨＲが閾値α１未満である場合（ステップＳ１０１；Ｙｅｓ）、ステップＳ１０２において、ＵＥ１００は、測定ログの取得を開始する。上述したように、測定ログは、無線環境の測定結果と、ＵＥ１００の位置情報と、測定時の時間情報と、を含む。ＵＥ１００は、ＰＨＲが閾値α１未満になったと判定した時刻、すなわち測定ログの取得開始時刻を記録する。
【００７２】
ステップＳ１０３において、ＵＥ１００は、ＰＨＲを測定して閾値β１と比較する。
【００７３】
ＰＨＲが閾値β１未満である場合（ステップＳ１０３；Ｎｏ）、ステップＳ１０４において、ＵＥ１００は、当該ＰＨＲを閾値α１と比較する。
【００７４】
ＰＨＲが閾値α１未満ではなくなった場合（ステップＳ１０４；Ｎｏ）、ステップＳ１０５において、ＵＥ１００は、ステップＳ１０２以降に取得された測定ログを保持せずに破棄する。これに対し、ＰＨＲが閾値α１未満である場合（ステップＳ１０４；Ｙｅｓ）、ＵＥ１００は、処理をステップＳ１０３に戻す。
【００７５】
一方、ＰＨＲが閾値β１未満である場合（ステップＳ１０３；Ｙｅｓ）、ステップＳ１０６において、ＵＥ１００は、測定ログの保持を開始する。ここで、ＵＥ１００は、ステップＳ１０２以降に取得された測定ログを保持する。また、ＵＥ１００は、ＰＨＲが閾値β１未満になったと判定した時刻、すなわち測定ログの保持決定時刻を記録する。
【００７６】
ステップＳ１０７において、ＵＥ１００は、ＰＨＲが閾値α１未満になったと判定した時刻（α１時刻）と、ＰＨＲが閾値β１未満になったと判定した時刻（β１時刻）と、に応じて定められる期間が満了したか否かを確認する。当該期間は、(β１時刻-α１時刻)×nで計算される。
【００７７】
当該期間が満了した場合（ステップＳ１０７；Ｙｅｓ）、測定ログの取得及び保持（ロギング）を終了する。その後、ＵＥ１００は、保持している測定ログをｅＮＢ２００に送信する。
【００７８】
（１．５）比較例
図５は、本実施形態の比較例を説明するための図である。ここでは、ＰＨＲが緩やかに低下（劣化）するケースを示す。
【００７９】
図５に示すように、比較例において、ＵＥ１００は、ＰＨＲが閾値未満になったことをトリガとして、ＰＨＲが閾値未満になったタイミングの前後一定期間（ロギングウィンドウ）内の測定ログを保持する。
【００８０】
比較例において、ロギングウィンドウの時間長は一定であるため、ＵＥ１００は、“Ａ”及び“Ｂ”で示す部分の測定ログを保持できない。“Ａ”及び“Ｂ”で示す部分の測定ログは、ＰＨＲが低下する際の挙動をオペレータが解析する上で重要である。
【００８１】
このように、比較例の方法では、重要な測定ログを保持できない問題がある。
【００８２】
（１．６）第１実施形態のまとめ
以上説明したように、ＵＥ１００は、ＰＨＲが閾値α１未満になった場合に、測定ログの取得を開始する。ＵＥ１００は、ＰＨＲが閾値α１未満になった後において、ＰＨＲが閾値β１未満になった場合に、取得済みの測定ログを保持する。これにより、ＰＨＲが緩やかに低下するようなケースであっても、ＰＨＲが閾値α１未満になってから閾値α２未満になるまでの測定ログを保持できる。したがって、ＵＥ１００は、重要な測定ログ（すなわち、図５の“Ａ”で示す部分の測定ログ）を保持できる。
【００８３】
また、閾値α１及び閾値β１を、ＵＥ１００の最大送信電力に応じて決定することで、ＵＥ１００毎に適切な閾値（α１及びβ１）を使用できる。
【００８４】
さらに、閾値α１及び閾値β１をネットワーク装置（ｅＮＢ２００又はＯＡＭ４００）が決定することで、オペレータのニーズに応じたロギングを行うことができる。
【００８５】
本実施形態では、ＵＥ１００は、ＰＨＲが閾値α１未満になった後において、ＰＨＲが閾値β１を満たす前に閾値α１を満たさなくなった場合に、取得済みの測定ログを保持せずに破棄する。これにより、保持すべき測定ログを削減できるため、ＵＥ１００の記憶容量を節約できる。
【００８６】
本実施形態では、ＵＥ１００は、ＰＨＲが閾値β１を満たしてから所定時間が経過するまで、測定ログの取得及び保持（すなわち、ロギング）を継続する。所定時間は、ＰＨＲが閾値α１を満たしてから閾値β１を満たすまでの時間のｎ倍に設定される。これにより、ＰＨＲが緩やかに低下するようなケースであっても、ＰＨＲの低下速度に応じた期間において測定ログを取得及び保持できる。したがって、ＵＥ１００は、重要な測定ログ（すなわち、図５の“Ｂ”で示す部分の測定ログ）を保持できる。
【００８７】
（２）第２実施形態
以下、第２実施形態について、第１実施形態との相違点を説明する。
【００８８】
上述した第１実施形態では、ＰＨＲが閾値未満になったことをトリガとしてロギングを行う「Ｔｒａｎｓｍｉｔ  ｐｏｗｅｒ  ｈｅａｄｒｏｏｍ  ｂｅｃｏｍｅｓ  ｌｅｓｓ  ｔｈａｎ  ｔｈｒｅｓｈｏｌｄ」によりロギングを行う一例を説明した。
【００８９】
本実施形態では、サービングセルからの受信信号状態が閾値よりも劣化したことをトリガとしてロギングを行う方式（「Ｓｅｒｖｉｎｇ  Ｃｅｌｌ  ｂｅｃｏｍｅｓ  ｗｏｒｓｅ  ｔｈａｎ  ｔｈｒｅｓｈｏｌｄ」と称される）によりロギングを行う。
【００９０】
「Ｓｅｒｖｉｎｇ  Ｃｅｌｌ  ｂｅｃｏｍｅｓ  ｗｏｒｓｅ  ｔｈａｎ  ｔｈｒｅｓｈｏｌｄ」は、例えばＵＥ１００がセルエッジに位置するようなケースにおいて、ＵＥ１００の受信信号状態が劣化し、下りリンクの通信品質が劣化する状況の測定ログを保持するものである。
【００９１】
本実施形態では、サービングセルからの受信信号状態としてフレーム誤り率（ＦＥＲ）を使用する。すなわち、本実施形態においてＦＥＲは、「特定の無線環境」に相当する。ただし、ＦＥＲに代えて、ビット誤り率（ＢＥＲ）を使用してもよい。なお、ＦＥＲは、その値が大きいほど、劣悪な無線環境であることを意味する。
【００９２】
（２．１）第２実施形態に係るＵＥの動作
図６及び図７は、本実施形態に係る制御部１４０の動作を説明するための図である。
【００９３】
図６及び図７に示すように、制御部１４０は、ロギングトリガに関する３つの閾値（閾値α２、閾値β２、及び閾値γ）を用いてロギングを行う。閾値α２及び閾値γは、測定ログの取得を開始するトリガを定めるための閾値である。これに対し、閾値β２は、取得済みの測定ログを保持するトリガを定めるための閾値である。本実施形態において、閾値α２は第１の閾値に相当し、閾値β２は第２の閾値に相当し、閾値γは第３の閾値に相当する。
【００９４】
閾値α２及び閾値β２は、ＦＥＲと比較される閾値であり、閾値β２は閾値α２よりも大きい値である。閾値α２及び閾値β２は、例えば特定ＭＣＳ（Ｍｏｄｕｌａｔｉｏｎ  and  Coding  Ｓｃｈｅｍｅ）を使用時に通信が成立する最大のＦＥＲに応じて決定される。特定ＭＣＳとは、データレートが最も低く、かつ、誤り耐性が最も高いＭＣＳ（すなわち、最低ＭＣＳ）であってもよい。
【００９５】
閾値γは、受信信号電力（ＲＳＳＩ：Ｒｅｃｅｉｖｅｄ  Ｓｉｇｎａｌ  Ｓｔｒｅｎｇｔｈ  Ｉｎｄｉｃａｔｏｒ）と比較される閾値である。閾値γは、例えば受信品質を確保するために必要なＲＳＳＩに応じて決定される。
【００９６】
閾値α２、閾値β２、及び閾値γは、記憶部１３０に予め保持されていてもよい。
【００９７】
或いは、閾値α２、閾値β２、及び閾値γは、ＭＤＴ設定メッセージによって指定されてもよい。この場合、ネットワーク装置（ｅＮＢ２００又はＯＡＭ４００）が閾値α２、閾値β２、及び閾値γを決定して、閾値α２、閾値β２、及び閾値γをＭＤＴ設定メッセージに含める。
【００９８】
制御部１４０は、ＲＳＳＩを複数回（ｍ回）測定し、これらの平均値（すなわち、移動平均）を計算して、閾値α２と比較する。制御部１４０は、ＲＳＳＩの平均値が閾値γ未満になった場合に、測定ログの取得を開始可能な状態にする。
【００９９】
制御部１４０は、ＦＥＲを測定して閾値α２と比較する。制御部１４０は、ＦＥＲが閾値α２を超えた場合に、測定ログの取得を開始する。
【０１００】
なお、例えば閾値α２を「０％」に設定する場合、ＲＳＳＩの平均値が閾値γ未満になれば直ちに測定ログの取得を開始するという運用が可能である。
【０１０１】
制御部１４０は、ＦＥＲが閾値β２を超えた場合に、取得済みの測定ログを記憶部１３０に保持させる。
【０１０２】
これに対し、制御部１４０は、ＦＥＲが閾値β２を超える前に閾値α２以下になった場合、又は、ＦＥＲが閾値β２を超える前にＲＳＳＩの平均値が閾値γ以上になった場合に、取得済みの測定ログを保持せずに破棄する。
【０１０３】
制御部１４０は、ＦＥＲが閾値β２を超えてから所定時間が経過するまで、測定ログの取得及び保持（すなわち、ロギング）を継続する。所定時間は、ＦＥＲが閾値α２を超えてから閾値β２を超えるまでの時間のｎ倍に設定される（ｎ＞２）。
【０１０４】
その結果、制御部１４０は、トータルで{（α２時刻からβ２時刻） + (β２時刻-α２時刻)×n}の期間の測定ログを記憶部１３０に保持させることになる。ここで、α２時刻とは、ＦＥＲが閾値α２を超えたと判定した時刻であり、β２時刻とは、ＦＥＲが閾値β２を超えたと判定した時刻である。
【０１０５】
ただし、制御部１４０は、ＦＥＲが閾値β２を満たしてから一定期間（固定の時間長）が経過するまで、測定ログの取得及び保持を継続してもよい。
【０１０６】
その後、制御部１４０は、記憶部１３０が保持する測定ログをｅＮＢ２００に送信するよう無線送受信部１１０を制御する。
【０１０７】
図８は、本実施形態に係るＵＥ１００の動作フロー図である。
【０１０８】
図８に示すように、ステップＳ２０１において、ＵＥ１００は、ＲＳＳＩ平均値を閾値γと比較する。
【０１０９】
ＲＳＳＩ平均値が閾値γ未満である場合（ステップＳ２０１；Ｙｅｓ）、ステップＳ２０２において、ＵＥ１００は、ＦＥＲを閾値α２と比較する。
【０１１０】
ＦＥＲが閾値α２未満を超える場合（ステップＳ２０２；Ｙｅｓ）、ステップＳ２０３において、ＵＥ１００は、測定ログの取得を開始する。上述したように、測定ログは、無線環境の測定結果と、ＵＥ１００の位置情報と、測定時の時間情報と、を含む。ＵＥ１００は、ＦＥＲが閾値α２を超えたと判定した時刻、すなわち測定ログの取得開始時刻を記録する。
【０１１１】
ステップＳ２０４において、ＵＥ１００は、ＦＥＲを測定して閾値β２と比較する。
【０１１２】
ＦＥＲが閾値β２以下である場合（ステップＳ２０４；Ｎｏ）、ステップＳ２０５において、ＵＥ１００は、ＦＥＲを閾値α２と比較し、現在のＲＳＳＩ平均値を閾値γと比較する。
【０１１３】
ＦＥＲが閾値α２以下である場合又はＲＳＳＩ平均値が閾値γ以上である場合（ステップＳ２０５；Ｎｏ）、ステップＳ２０６において、ＵＥ１００は、ステップＳ２０３以降に取得された測定ログを保持せずに破棄する。これに対し、ＦＥＲが閾値α２を超えており、かつ、ＲＳＳＩ平均値が閾値γ未満である場合（ステップＳ２０５；Ｙｅｓ）、ＵＥ１００は、処理をステップＳ２０４に戻す。
【０１１４】
一方、ＦＥＲが閾値β２を超える場合（ステップＳ２０４；Ｙｅｓ）、ステップＳ２０７において、ＵＥ１００は、測定ログの保持を開始する。ここで、ＵＥ１００は、ステップＳ２０３以降に取得された測定ログを保持する。また、ＵＥ１００は、ＦＥＲが閾値β２を超えたと判定した時刻、すなわち測定ログの保持決定時刻を記録する。
【０１１５】
ステップＳ２０８において、ＵＥ１００は、ＦＥＲが閾値α２を超えたと判定した時刻（α２時刻）と、ＦＥＲが閾値β２を超えたと判定した時刻（β２時刻）と、に応じて定められる期間が満了したか否かを確認する。当該期間は、(β２時刻-α２時刻)×nで計算される。
【０１１６】
当該期間が満了した場合（ステップＳ２０８；Ｙｅｓ）、ＵＥ１００は、測定ログの取得及び保持（ロギング）を終了する。その後、ＵＥ１００は、保持している測定ログをｅＮＢ２００に送信する。
【０１１７】
（２．２）第２実施形態のまとめ
本実施形態では、第１実施形態で説明したような効果に加えて、以下の効果が得られる。
【０１１８】
具体的には、ＵＥ１００は、ＲＳＳＩの移動平均が閾値γ未満でなければ、測定ログの取得を開始しない。これにより、ＦＥＲの上昇が、例えばＵＥ１００の移動に伴うフェージングに起因するものである場合には、測定ログの取得を開始しないようにすることができるため、フェージングの影響を排除できる。
【０１１９】
［その他の実施形態］
この開示の一部をなす記述及び図面はこの発明を限定するものであると理解すべきではない。この開示から当業者には様々な代替実施形態、実施例及び運用技術が明らかとなる。
【０１２０】
第１実施形態では、ＰＨＲに基づいてロギングトリガを定めるケースを説明し、第２実施形態では、ＲＳＳＩ及びＦＥＲに基づいてロギングトリガを定めるケースを説明した。しかしながら、ＰＨＲやＲＳＳＩ、ＦＥＲに限らず、例えばＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  Ｓｉｇｎａｌ  Ｒｅｃｅｉｖｅｄ  Ｑｕａｌｉｔｙ）などを使用してもよい。
【０１２１】
上述した各実施形態では、ＬＴＥに基づいて構成される移動通信システムを例に説明したが、ＬＴＥに限らず、他の移動通信システム（例えば、Ｗ−ＣＤＭＡ）に対して本発明を適用してもよい。
【符号の説明】
【０１２２】
１０…ＵＴＲＡＮ、２０…ＥＰＣ、１００…ＵＥ、１１０…無線送受信部、１２０…ＧＮＳＳ受信機、１３０…記憶部、１４０…制御部、２００…ｅＮＢ、３００…ＭＭＥ／ＧＷ、４００…ＯＡＭ
【図１】
0005752083.tif 000002
【図２】
0005752083.tif 000003
【図３】
0005752083.tif 000004
【図４】
0005752083.tif 000005
【図５】
0005752083.tif 000006
【図６】
0005752083.tif 000007
【図７】
0005752083.tif 000008
【図８】
0005752083.tif 000009